(57)【要約】【課題】ファイルボックス本体の底部形成片が互いに組み合わされ係止されるだけで、貼着や接着工程を経ることなく、底部が形成されることにより製造コストが低減されると共に、その底部が折り畳み可能に形成されて搬送や保管の利便性を有し、さらに、載置安定性にすぐれた組立ファイルボックスの底部構造を提供する。【解決手段】  底部形成片が互いに接合されることにより底部が折畳み可能に形成されているファイルボックスの底部構造において、上記底部形成片は、スリットを有する２つの第一の底部形成片と、上記スリットに係合しうる係止片を有する他の２つの第二の底部形成片とにより構成され、上記スリット及び係止片は、それぞれ互いに直交する方向において配置されていることを特徴とする。  【選択図】  図３
2006151431.tif 000002
【特許請求の範囲】
【請求項１】
ファイルボックス本体を形成する４つの側面部の下端には、夫々、折曲可能な底部形成片が延設され、それら底部形成片が互いに接合されることにより底部が折畳み可能に形成されているファイルボックスの底部構造において、
上記底部形成片は、スリットを有する２つの第一の底部形成片と、上記スリットに係合しうる係止片を有する他の２つの第二の底部形成片とにより構成され、上記スリット及び係止片は、それぞれ互いに直交する方向において配置されていることを特徴とする組立式ファイルボックスの底部構造。
【請求項２】
上記スリットを有する第一の底部形成片と、上記係止片を有する第二の底部形成片は互いに隣接して配置されていることを特徴とする請求項１記載の組立式ファイルボックスの底部構造。
【請求項３】
上記第二の底部形成片の側端には、ファイルボックス本体の長さ方向に対して４５度傾斜した折曲線を有する接合片部が形成されると共に、その接合片部の端縁部には上記係止片が突設されていると共に、上記第一の底部形成片にはファイルボックス本体の幅方向及び長さ方向に沿って上記スリットが開設されていることを特徴とする請求項１又は２記載の組立式ファイルボックスの底部構造。
【請求項４】
上記第二の底部形成片は、上記折曲線の延長線上に位置する隅角部に切欠部が形成されていることを特徴とする請求項１〜３記載の組立式ファイルボックスの底部構造。
【請求項５】
上記第一の底部形成片の内、最も内側に重ね合わされる底部形成片は、ファイルボックス本体の底部の全体形状と略同形であって、かつ略同一の大きさに形成され、
上記第一の底部形成片の先端には突片部が設けられると共に、当該底部形成片と対向するように配置されている他の第二の底部形成片と側面部との境に位置する折曲部には上記突片部が差し込まれて係合可能で、かつ容易に抜脱可能な係止孔部が設けられていることを特徴とする請求項１〜４記載の組立式ファイルボックスの底部構造。
【発明の詳細な説明】
【技術分野】
【０００１】
本発明は、組立式ファイルボックスの底部構造に係り、特に、ファイルボックス本体を形成する４つの側面部の下端に夫々垂直に折曲可能に延設された底部形成片が互いに接合されて底部が構成される組立式ファイルボックスの底部構造に関する。
【背景技術】
【０００２】
従来、容器本体の４つの側面部の下端に夫々垂直に折曲可能に延設された底部形成片が互いに接合されて底部が構成される組立式箱型容器の底部構造として、例えば特許文献１、特許文献２、特許文献３、特許文献４及び特許文献５に記載されたものが公知である。
【特許文献１】実用新案登録公報第２５３８２０１号
【特許文献２】特開平７−１７２０９２号公報
【特許文献３】特許公報第２７２９５９７号公報
【特許文献４】実用新案公報  平２−３５５０２号
【特許文献５】実開平７−１３７１３号公報
【０００３】
しかしながら、上記特許文献１に記載された書類整理箱は、四面の周壁下端部に夫々垂直に折曲可能に延設された底部形成片が互いに組み合わされて貼着されることにより底部が構成されていることから、上記底部形成片を貼着して底部を形成する工程が煩雑で、製造コストが嵩む、という不具合がある。
【０００４】
また、上記特許文献２に記載されたボックスファイルも、四面の周壁下端部に夫々垂直に折曲可能に延設された底部形成片が互いに組み合わされて糊付けされることにより底部が構成されていることから、上記底部形成片を糊付けして底部を形成する工程が煩雑で、製造コストが嵩む、という不具合がある。
【０００５】
また、上記特許文献３に記載されたボックスファイルは、四面の周壁下端部に夫々垂直に折曲可能に延設された底部形成片が互いに組み合わされて一部が接着されると共に、他部に設けられた切欠部と切込部とが掛止されることにより底部が構成されていることから、上記底部形成片の接着と、上記切欠部と切込部との掛止により底部を形成する工程が煩雑で、製造コストが嵩む、という不具合がある。
【０００６】
また、上記特許文献４に記載された書類などの収納ケースは、四面の周壁下端部に夫々垂直に折曲可能に延設された底部形成片が互いに組み合わされ、挿込片と係止片が切込みに挿入・係止されることにより底部が構成されることから、上記特許文献１乃至３に記載されたもののように、貼着や接着の煩雑さが解消されるが、その底部を折り畳むことができないので、搬送や保管に不便である、という不具合がある。
【０００７】
また、上記特許文献５に記載された書類整理箱は、四面の周壁下端部に夫々垂直に折曲可能に延設された底部形成片が互いに組み合わされ、係合溝に係止片が差し込まれて係止されることにより底部が構成されることから、上記特許文献４に記載されたものと同様に、貼着や接着の煩雑さが解消されるが、その底部を折り畳むことができないので、搬送や保管に不便である、という不具合がある。
また、上記係合溝に係止片が差し込まれた場合に生ずる歪みにより底部が下方へ膨出するので、机上等に載置した場合に不安定になる、という不具合もある。
【発明の開示】
【発明が解決しようとする課題】
【０００８】
そこで本発明の課題は、ファイルボックス本体の４つの側面部の下端に夫々垂直に折曲可能に延設された底部形成片が互いに組み合わされ係止されるだけで、貼着や接着工程を経ることなく、底部が形成されることにより製造コストが低減されると共に、その底部が折り畳み可能に形成されて搬送や保管の利便性を有し、さらに、載置安定性にすぐれた組立ファイルボックスの底部構造を提供することにある。
【課題を解決するための手段】
【０００９】
上記課題を解決するために、請求項１記載の本発明に係る組立式ファイルボックスの底部構造は、ファイルボックス本体を形成する４つの側面部の下端には、夫々、折曲可能な底部形成片が延設され、それら底部形成片が互いに接合されることにより底部が折畳み可能に形成されているファイルボックスの底部構造において、上記底部形成片は、スリットを有する２つの第一の底部形成片と、上記スリットに係合しうる係止片を有する他の２つの第二の底部形成片とにより構成され、上記スリット及び係止片は、それぞれ互いに直交する方向において配置されていることを特徴とする。
【００１０】
即ち、請求項１記載の本発明に係る組立式ファイルボックスの底部構造にあっては、第一の底部形成片に設けられたスリットに、第二の底部形成片に設けられた係止片を係合させることにより、第一の底部形成片と第二の底部形成片とが接合されて底部が構成されるものであり、上記スリット及び係止片は、それぞれ同一方向において配置されないようにしている。
【００１１】
また、請求項２記載の本発明に係る組立式ファイルボックスの底部構造は、上記スリットを有する第一の底部形成片と、上記係止片を有する第二の底部形成片は互いに隣接して配置されていることを特徴とする。
【００１２】
即ち、請求項２記載の本発明に係る組立式ファイルボックスの底部構造にあっては、互いに係合させる上記スリットと上記係止片が離間して配置されないように、上記第一の底部形成片と、上記第二の底部形成片とが隣接するように配置されている。
【００１３】
また、請求項３記載の本発明に係る組立式ファイルボックスの底部構造は、上記第二の底部形成片の側端には、ファイルボックス本体の長さ方向に対して４５度傾斜した折曲線を有する接合片部が形成されると共に、その接合片部の端縁部には上記係止片が突設されていると共に、上記第一の底部形成片にはファイルボックス本体の幅方向及び長さ方向に沿って上記スリットが開設されていることを特徴とする。
【００１４】
即ち、請求項３記載の本発明に係る組立式ファイルボックスの底部構造にあっては、ファイルボックス本体の長さ方向に対して４５度傾斜した折曲線を有する接合片部が上記第二の底部形成片の側端に形成されることにより、上記第二の底部形成片を上記折曲線の位置で折り畳み可能としている。
【００１５】
また、請求項４記載の本発明に係る組立式ファイルボックスの底部構造は、上記第二の底部形成片は、上記折曲線の延長線上に位置する隅角部に切欠部が形成されていることを特徴とする。
【００１６】
即ち、請求項４記載の本発明に係る組立式ファイルボックスの底部構造にあっては、上記第二の底部形成片に設けられた上記折曲線がファイルボックス本体の周壁まで達しないように、上記隅角部に切欠部が形成されている。
【００１７】
また、請求項５記載の本発明に係る組立式ファイルボックスの底部構造は、上記第一の底部形成片の内、最も内側に重ね合わされる底部形成片は、ファイルボックス本体の底部の全体形状と略同形であって、かつ略同一の大きさに形成され、上記第一の底部形成片の先端には突片部が設けられると共に、当該底部形成片と対向するように配置されている他の第二の底部形成片と側面部との境に位置する折曲部には上記突片部が差し込まれて係合可能で、かつ容易に抜脱可能な係止孔部が設けられていることを特徴とする。
【００１８】
即ち、請求項５記載の本発明に係る組立式ファイルボックスの底部構造にあっては、ファイルボックス本体の内底面に生じる段差を少なくするために、最も内側に重ね合わされる底部形成片は、ファイルボックス本体の底部の全体形状と略同形であって、かつ略同一の大きさに形成されている。また、上記底部形成片を係止すると共に、底部を折り畳む場合にその係止を容易に解消できるように、上記突片部と、その突片部が容易に抜脱可能な係止孔部が設けられている。
【発明の効果】
【００１９】
請求項１記載の本発明に係る組立式ファイルボックスの底部構造は、ファイルボックス本体を形成する４つの側面部の下端には、夫々、折曲可能な底部形成片が延設され、それら底部形成片が互いに接合されることにより底部が折畳み可能に形成されているファイルボックスの底部構造において、上記底部形成片は、スリットを有する２つの第一の底部形成片と、上記スリットに係合しうる係止片を有する他の２つの第二の底部形成片とにより構成され、上記スリット及び係止片は、それぞれ互いに直交する方向において配置されていることから、４つの側面部の下端に夫々垂直に折曲可能に延設された上記底部形成片が、互いに上記スリットと上記係止片を係合させるだけで、貼着や接着工程を経ることなく、底部が形成されることにより製造コストが低減される。
また、その底部が折り畳み可能に形成されていることから、搬送や保管に極めて便利である。
また、上記スリット及び係止片はそれぞれ互いに直交する方向において配置されていることから、上記スリットに上記係止片が係合される場合に生ずる変形に基づく歪みが一方向に集中せず、互いに直交する２方向へ歪みを逃がすことができるため、底部が下方へ膨出するようなことがなく、机上等に載置した場合の安定性が良好である。
【００２０】
また、請求項２記載の本発明に係る組立式ファイルボックスの底部構造は、上記スリットを有する第一の底部形成片と、上記係止片を有する第二の底部形成片は互いに隣接して配置されていることから、上記スリットと上記係止片を容易に係合させることができて低部１８の組み立てが容易であり、又、隣接している底部形成片同士が固定されることにより底部全体が堅固になる。
【００２１】
また、請求項３記載の本発明に係る組立式ファイルボックスの底部構造は、上記第二の底部形成片の側端には、ファイルボックス本体の長さ方向に対して４５度傾斜した折曲線を有する接合片部が形成されると共に、その接合片部の端縁部には上記係止片が突設されていると共に、上記第一の底部形成片にはファイルボックス本体の幅方向及び長さ方向に沿って上記スリットが開設されていることから、上記接合片部の上記係止片を上記スリットに挿入して係合することにより上記第一の底部形成片と上記第二の底部形成片とを容易に接合することができ、又、上記第二の底部形成片における上記接合片部を上記折曲線位置で折り曲げることにより底部を容易に折り畳むことができるので、底部の組み立て、及び折り畳み構造の複雑化を回避して、製造コストを低減することができる。
【００２２】
また、請求項４記載の本発明に係る組立式ファイルボックスの底部構造は、上記第二の底部形成片は、上記折曲線の延長線上に位置する隅角部に切欠部が形成されていることから、上記第二の底部形成片の上記接合片部を上記折曲線で折り曲げて底部を折り畳む場合に、上記切欠部により上記第二の底部形成片の隅角部が周壁部に接触して擦れるようなことがないため、底部をスムースに折り畳むことができ、使い勝手が良好になる。
【００２３】
また、請求項５記載の本発明に係る組立式ファイルボックスの底部構造は、上記第一の底部形成片の内、最も内側に重ね合わされる底部形成片は、ファイルボックス本体の底部の全体形状と略同形であって、かつ略同一の大きさに形成され、上記第一の底部形成片の先端には突片部が設けられると共に、当該底部形成片と対向するように配置されている他の第二の底部形成片と側面部との境に位置する折曲部には上記突片部が差し込まれて係合可能で、かつ容易に抜脱可能な係止孔部が設けられていることから、組み立てられたファイルボックス本体の内底面は底部の全体形状と略同形に形成された上記第一の底部形成片により形成されるため、その内底面に段差が少なくなり、物を収納した場合に安定性が良好である。
また、ファイルボックス本体が組み立てられた状態で、上記突片部が上記係止孔部に差し込まれて係合することにより、底部の組み立て状態が固定され安定する。
また、上記突片部は、底部を折り畳むときに、上記係止孔部から容易に抜脱することができるため、底部の折り畳みをスムースに行うことができる。  
【発明を実施するための最良の形態】
【００２４】
以下、図面を用いて本発明の実施の形態について説明する。
本実施の形態に係る組立式ファイルボックス１１の底部構造は、図２〜図４に示すように、ファイルボックス本体１２を形成する４つの側面部１３，１４，１５，１６の下端には、夫々、折曲可能な底部形成片３０，３２，３４，３６が延設され、それら底部形成片３０，３２，３４，３６が互いに接合されることにより底部１８が折畳み可能に形成されているファイルボックス１１の底部構造であって、上記底部形成片３０，３２，３４，３６は、スリット４３，４４を有する２つの第一の底部形成片３０，３２と、上記スリット４３，４４に係合しうる係止片３９，４２を有する他の２つの第二の底部形成片３４，３６とにより構成され、上記スリット４３，４４及び係止片３９，４２は、それぞれ互いに直交する方向において配置されている。
また、図３に示すように、上記スリット４３，４４を有する第一の底部形成片３０，３２と、上記係止片３９，４２を有する第二の底部形成片３４，３６は互いに隣接して配置されている。
また、図３に示すように、上記第二の底部形成片３４，３６の側端には、ファイルボックス本体１２の長さ方向に対して４５度傾斜した折曲線３７，４０を有する接合片部３８，４１が形成されると共に、その接合片部３８，４１の端縁部には上記係止片３９，４２が突設されていると共に、上記第一の底部形成片３０，３２にはファイルボックス本体１２の幅方向及び長さ方向に沿って上記スリット４３，４４が開設されている。
また、図３に示すように、上記第二の底部形成片３４，３６は、上記折曲線３７，４０の延長線上に位置する隅角部に切欠部４５，４６が形成されている。
また、図３に示すように、上記第一の底部形成片３０，３２の内、最も内側に重ね合わされる底部形成片３２は、ファイルボックス本体１２の底部１８の全体形状と略同形であって、かつ略同一の大きさに形成され、上記第一の底部形成片３２の先端には突片部４７が設けられると共に、当該底部形成片３２と対向するように配置されている他の第二の底部形成片３６と側面部１５との境に位置する折曲部には上記突片部４７が差し込まれて係合可能で、かつ容易に抜脱可能な係止孔部４８が設けられている。
【実施例１】
【００２５】
図示した本実施例に係る組立式ファイルボックス１１は、図１に示すように、書類等を収納して保管するために用いられるもので、ファイルボックス本体１２は４つの側面部、即ち、前方側面部１３と、左方側面部１４，右方側面部１５と、後方側面部１６とにより周壁１７が構成されると共に、上記周壁１７に底面部１８が連設されて、上方が開放された構造を有している。
【００２６】
なお、上記前方側面部１３の高さ寸法は、上記後方側面部１６の高さ寸法より小さく、又、左方側面部１４と右方側面部１５は同形で、それらの前辺部と上辺部が交差する角部は斜めに切欠されている。
【００２７】
上記ファイルボックス本体１２は、硬質の薄いプラスチック板１９を素材として形成され、図２に示すように展開することができる。即ち、1枚のプラスチック板１９を図２に示すような展開形状に裁断し、これを立体的に組み立てることにより形成されている。
【００２８】
図２に示す展開図において、前方側面部１３の左側方には折曲線２０を介して左方側面部１４が連設され、その左方側面部１４の左側方には折曲線２１を介して後方側面部１６が連設され、その後方側面部１６の左側方には折曲線２２を介して右方側面部１５が連設され、さらに、その右方側面部１５の左側方には折曲線２３を介して重合片２４が連設されている。
【００２９】
また、図２に示す展開図において、上記前方側面部１３のフリーな右側辺部には舌状片２５，２６が突設されると共に、上記右方側面部１５と重合片２４との間に位置する上記折曲線２３上には上記舌状片２５，２６が挿入して係止可能な線状の切込み２７，２８が形成されている。
【００３０】
上記前方側面部１３、左方側面部１４、後方側面部１６、右方側面部１５及び重合片２４を、上記折曲線２０，２１，２２，２３の位置で夫々直角に折り曲げると共に、上記舌状片２５，２６を上記切込み２７，２８に挿入して係止固定することにより、図１に示すような立体的な周壁１６が形成されている。
【００３１】
また、図２に示す展開図において、上記前方側面部１３の下方には折曲線２９を介して逆台形状の第一の底部形成片３０が連設され、上記左方側面部１４の下方には折曲線３１を介して上記底面部１８の全体形状と略同形で略同一の大きさを有する第一の底部形成片３２が連設されている。
また、上記後方側面部１６の下方には折曲線３３を介して第二の底部形成片３４が連設され、さらに、上記右方側面部１５の下方には折曲線３５を介して第二の底部形成片３６がそれぞれ連設されている。
【００３２】
また、図２に示す展開図において、上記後方側面部１６の下方に連設された上記第二の底部形成片３４の右方の側端部には、上記折曲線３３に対し４５度傾斜した折曲線３７が設けられると共に、その折曲線３７の外側に接合片部３８が形成され、さらに、上記接合片部３８の下方先端縁部に係止片３９が突設されている。
【００３３】
また、図２に示す展開図において、上記右方側面部１５の下方に連設された上記第二の底部形成片３６の左方の側端部には、上記折曲線３５に対し４５度傾斜した折曲線４０が設けられると共に、その折曲線４０の外側に接合片部４１が形成され、さらに、上記接合片部４１の下方先端縁部に係止片４２が突設されている。
【００３４】
また、図２に示す展開図において、上記左方側面部１４の下方に連設された上記第一の底部形成片３２には、底面部１８を組み立てる時に、上記接合片部３８に突設された上記係止片３９が挿入して係止可能な縦向きのスリット４３が形成され、同じく、上記前方側面部１３の下方に連設された上記第一の底部形成片３０には、底面部１８を組み立てる時に、上記接合片部４１に突設された上記係止片４２が挿入して係止可能な縦向きのスリット４４が形成されている。
【００３５】
また、図２に示す展開図において、上記第二の底部形成片３４に設けられた上記折曲線３３の延長線上に位置する右上の隅角部には略正方形の切欠部４５が形成され、同じく、上記第二の底部形成片３６に設けられた上記折曲線４０の延長線上に位置する左上の隅角部にも略正方形の切欠部４６が形成されている。
【００３６】
さらに、図２に示す展開図において、上記左方側面部１４の下方に連設された上記第一の底部形成片３２には、その下端縁部の略中央部に突片部４７が設けられ、また、上記右方側面部１５と上記第二の底部形成片３６の境に設けられた上記折曲線３５上には、底面部１８を組み立てる時に、上記突片部４７が挿入して係止可能で、かつ、上記底面部１８を折り畳むときは上記突片部４７が容易に抜脱可能な線状の係止孔部４８が形成されている。
【００３７】
上記底面部１８を組み立てるときは、図３に示すように、まず、上記左方側面部１４の下方に連設された上記第一の底部形成片３２が、上記左方側面部１４に対し直角に折り曲げられて、最も内側に配置される。
【００３８】
次に、図３に示すように、上記前方側面部１３の下方に連設された上記第一の底部形成片３０が、上記前方側面部１３に対し直角に折り曲げられて、上記第一の底部形成片３２の外側に重ね合わされると共に、上記後方側面部１６の下方に連設された上記第二の底部形成片３４が、上記後方側面部１６に対し直角に折り曲げられて、同じく上記第一の底部形成片３２の外側に重ね合わされ、上記接合片部３８に設けられた上記係止片３９が、上記第一の底部形成片３２に形成された上記スリット４３に挿入されて係止される。
【００３９】
次に、図３に示すように、上記右方側面部１５の下方に連設された上記第二の底部形成片３６が、上記右方側面部１５に対し直角に折り曲げられて最も外側に重ね合わされ、上記接合片部４１に設けられた上記係止片４２が、上記第一の底部形成片３０に設けられた上記スリット４４に挿入されて係止される。
【００４０】
また、上記第一の底部形成片３２に設けられた上記突片部４７が、上記右方側面部１５と上記第二の底部形成片３６の境に設けられた上記折曲線３５上に形成された上記係止孔部４８に挿入されて係止される。
以上の組立工程を経て、図３に示すように、上記底面部１８は組み立てられている。
【００４１】
そして、上記底面部１８が組み立てられた状態では、図３に示すように、２箇所の上記スリット４３，４４にそれぞれ係合された２つの上記係止片３９，４２は互いに直交する向きに配置されている。
【００４２】
上記ファイルボックス本体１２は、図４に示すように、扁平となるように折り畳み可能であり、上記周壁１７は、上記前方側面部１３と左方側面部１４を面一になし、同じく上記後方側面部１６と右方側面部１５も面一になして、それらを重ね合わせるように折り畳むことができる。
【００４３】
また、上記周壁１７が折り畳まれるときに、上記底面部１８も一緒に折り畳まれることになるが、その場合、図４に示すように、上記折曲線３７，４０の位置で折り畳むことができる。
【００４４】
本実施例の作用について説明する。
本実施例に係る組立式ファイルボックス１１は、２枚の上記第一の底面形成片３０，３２と、２枚の上記第二の底部形成片３４，３６とを重ね合わせて上記低面部１８を組み立てた状態では、図３に示すように、２箇所に設けられた上記係止片３９，４２は互いに直交する向きに配置されることになることから、上記係止片３９，４０を上記スリット４３，４４に挿入して係止する場合に生じる変形に基づく歪みが、同一方向に重ならず、直交する２方向に分散されるので、歪み量が小さくなり、上記底面部１８が下方へ膨出することがない。従って、机上等に載置した場合に頗る安定性が良好になる。
【００４５】
また、図３に示すように、上記第二の底部形成片３４，３６の側端に、ファイルボックス本体１２の長さ方向に対して４５度傾斜した折曲線３７，４０を有する接合片部３８，４１が形成され、その接合片部３８，４１に設けられた上記係止片３９，４２が、隣接して配置された上記第一の底部形成片３０，３２に設けられた上記スリット４３，４４に係合されて底部１８が構成されているので、上記係止片３９，４２が上記スリット４３，４４に係合されているままの状態で底部１８を上記折曲線３７，４０の位置で容易に折り畳むことができる。
【００４６】
また、図３に示すように、上記折曲線３７，４０の延長線上に位置する上記第二の底部形成片３４，３６の隅角部に上記切欠部４５，４６が形成されていることにより、底部１８を折り畳むときに、上記隅角部がファイルボックス本体１２の周壁１７に接することがないので、底部１８をスムースに折り畳むことができる。
【００４７】
また、図３に示すように、上記第一の底部形成片３０，３２の内、最も内側に重ね合わされる底部形成片３２が、ファイルボックス本体１２の底部１８の全体形状と略同形であって、かつ略同一の大きさに形成されていることから、上記底部１８の内底面には段差が
少なくなり、収納物を載せた場合に安定性が良い。
また、上記突片部４７が、上記係止孔部４８から容易に抜脱可能なので、底部１８を折り畳むときに、上記係止孔部４８から上記突片部４７が簡単に抜け外れて、上記底部形成片３２の係止状態が解消されるので、底部１８をスムースに折り畳むことができる。
【産業上の利用可能性】
【００４８】
本発明の組立式ファイルボックスの底部構造は、組立式で、ボックス型の容器に適用可能である。
【図面の簡単な説明】
【００４９】
【図１】本発明の実施例に係るファイルボックスの斜視図である。
【図２】本発明の実施例に係るファイルボックスの展開図である。
【図３】本発明の実施例に係るファイルボックスの底面図である。
【図４】本発明の実施例に係るファイルボックスを折り畳む場合の中間過程を示す底面図である。
【符号の説明】
【００５０】
１１  ファイルボックス
１２  ファイルボックス本体
１３  前方側面部
１４  左方側面部
１５  右方側面部
１６  後方側面部
１７  周壁
１８  底面部
１９  プラスチック板
２０  折曲線
２１  折曲線
２２  折曲線
２３  折曲線
２４  重合片
２５  係止片
２６  係止片
２７  切込み
２８  切込み
２９  折曲線
３０  第一の底部形成片
３１  折曲線
３２  第一の底部形成片
３３  折曲線
３４  第二の底部形成片
３５  折曲線
３６  第二の底部形成片
３７  折曲線
３８  接合片部
３９  係止片
４０  折曲線
４１  接合片部
４２  係止片
４３  スリット
４４  スリット
４５  切欠部
４６  切欠部
４７  突片部
４８  係止孔部
【図１】
2006151431.tif 000003
【図２】
2006151431.tif 000004
【図３】
2006151431.tif 000005
【図４】
2006151431.tif 000006